(57)【要約】      （修正有）【課題】帽子とは独立してかつ正確に位置決めして着脱容易に装着できる日除け装置を提供する。【解決手段】装着者の首筋を覆う遮光性を有する日除けシート１０、該日除けシートの上縁部に形成されたＣ型ヘアバンド挿通部１２、及び該Ｃ型ヘアバンド挿通部に挿通され、前記日除けシートが装着者の首筋を覆った状態で前記日除けシートの上縁部を装着者の頭部に支持するＣ型ヘアバンドを有することを特徴とする日除け装置１。【選択図】図１
0003166243.tif 000002
【実用新案登録請求の範囲】
【請求項１】
装着者の首筋を覆う遮光性を有する日除けシート；
前記日除けシートの上縁部に形成されたＣ型ヘアバンド挿通部；及び
前記Ｃ型ヘアバンド挿通部に挿通され、前記日除けシートが装着者の首筋を覆った状態で前記日除けシートの上縁部を装着者の頭部に支持するＣ型ヘアバンド；
を有することを特徴とする日除け装置。
【請求項２】
請求項１記載の日除け装置において、
前記Ｃ型ヘアバンドは、前記日除けシートのＣ型ヘアバンド挿通部に挿脱自在である日除け装置。
【請求項３】
請求項１または２記載の日除け装置において、
前記Ｃ型ヘアバンド挿通部は、前記日除けシートの表裏面のうち、装着者の頭部に接する面に形成されている日除け装置。
【請求項４】
請求項１ないし３のいずれか１項記載の日除け装置において、
前記Ｃ型ヘアバンド挿通部は、前記日除けシートの上縁部に沿って並列に設けられたガイドループである日除け装置。
【請求項５】
請求項１ないし４のいずれか１項記載の日除け装置において、
前記日除けシートは略半円形状をなしており、その全周に亘って縁取り部が形成されている日除け装置。
【考案の詳細な説明】
【技術分野】
【０００１】
本考案は、首筋の日焼けを防止するための日除け装置に関する。
【背景技術】
【０００２】
従来から、野外の炎天下における農作業、スポーツ、レジャーなどの場面で、直射日光による日焼けを防止するために帽子を被るのが普通である。ところが、例えばひさしが前方にしか設けられていない野球帽のような帽子は、頭部と顔面への日差しを遮ることはできるが、首筋の日焼けを防止するためには不十分である。そこで、装着者の首筋を覆う日除けシートを帽子に一体形成する、あるいは着脱自在に取付けることが提案されている。
【考案の概要】
【考案が解決しようとする課題】
【０００３】
しかしながら、前者の提案にあっては、日除けシートと帽子が一体成形されているため、日除けシートを不要とするときでもこれを取り外すことができない。後者の提案にあっては、帽子が日除けシートを装着するために必須の媒体であるため、帽子を被らないと日除けシートを装着することができず、着脱が困難である。また、例えばテニスなどの激しい運動をすると、日除けシートの装着位置がずれてしまう。
【０００４】
本考案は従って、装着者の首筋を覆う日除けシートを、帽子とは独立してかつ正確に位置決めして着脱容易に装着できる日除け装置を得ることを目的とする。
【課題を解決するための手段】
【０００５】
本考案は、風などによる髪の乱れを抑えるためのＣ型ヘアバンド（例えばカチューシャ）の弾性力を利用して日除けシートを装着する、という着眼に基づいてなされたものである。
【０００６】
すなわち、本考案の日除け装置は、装着者の首筋を覆う遮光性を有する日除けシート；前記日除けシートの上縁部に形成されたＣ型ヘアバンド挿通部；及び前記Ｃ型ヘアバンド挿通部に挿通され、前記日除けシートが装着者の首筋を覆った状態で前記日除けシートの上縁部を装着者の頭部に支持するＣ型ヘアバンド；を有することを特徴としている。
この構成によれば、Ｃ型ヘアバンドの弾性力を利用して、装着者の首筋を覆う日除けシートの上縁部を装着者の頭部に支持するので、日除けシートを、帽子とは独立してかつ正確に位置決めして着脱容易に装着することができる（例えば帽子を被ることなく確実に日除けシートを装着することができる）。
【０００７】
前記Ｃ型ヘアバンドは、前記日除けシートのＣ型ヘアバンド挿通部に挿脱自在とすることが好ましい。
この構成によれば、装着者の頭部のサイズに合わせて最適な径のＣ型ヘアバンドを選択して使用することができる。また、Ｃ型ヘアバンドを取り外して日除けシートを洗濯することができる。さらに、Ｃ型ヘアバンドが壊れたときにはこれを取り外して、市販されている新たなＣ型ヘアバンドを取り付けて使用することができる。
【０００８】
前記Ｃ型ヘアバンド挿通部は、前記日除けシートの表裏面のうち、装着者の頭部に接する面に形成することが好ましい。
この構成によれば、Ｃ型ヘアバンド及びＣ型ヘアバンド挿通部が外部に露出しないので、日除けシート装着時の見栄えを良くすることができる。また、Ｃ型ヘアバンドを脱落しにくくすることができる。
【０００９】
前記Ｃ型ヘアバンド挿通部は、具体的に、前記日除けシートの上縁部に沿って並列に設けたガイドループとすることができる。
【００１０】
前記日除けシートを略半円形状として、その全周に亘って縁取り部（ほつれ止め部）を形成してもよい。
【考案の効果】
【００１１】
本考案によれば、帽子とは独立してかつ正確に位置決めして着脱容易に装着できる日除け装置が得られる。
【図面の簡単な説明】
【００１２】
【図１】本考案の一実施形態による日除け装置の日除けシートの正面図である。
【図２】本考案の一実施形態による日除け装置の日除けシートの背面図である。
【図３】本考案の一実施形態による日除け装置のＣ型ヘアバンドを示す図である。
【図４】本考案の一実施形態による日除け装置を装着した状態を示す図である。
【考案を実施するための形態】
【００１３】
図１、図２に示すように、本考案による日除け装置１は、装着者の首筋を覆う略半円形状のシート材である日除けシート１０を有する。日除けシート１０は、遮光性及び通気性を有するメッシュ状の編み物又は織物で構成されており、例えば、ＵＶ生地やＵＶニットなどとすることができる。日除けシート１０は、その上縁部と半円弧状部を含む全周に亘って、その外周縁を内側に僅かに折り返して縫い付けて形成した縁取り部（ほつれ止め部）１１を有している。日除けシート１０は、その上縁部に沿って並列に設けられた１０個のガイドループ（Ｃ型ヘアバンド挿通部）１２を有している。勿論、ガイドループ１２の数は１０個に限られず、種々の変更が可能である。
【００１４】
日除けシート１０のガイドループ１２には、図３にその単体構造を示すＣ型ヘアバンド（例えばカチューシャ）２０が挿脱自在に挿通される。Ｃ型ヘアバンド２０は、外力を加えると自由に変形できる弾性材料を円弧状に湾曲させて形成したものである。図３（Ａ）は自由状態のＣ型ヘアバンド２０を示しており、図３（Ｂ）は円弧状端部２１を互いに引き離すように円弧状部２２を弾性変形させた状態のＣ型ヘアバンド２０を示している。
【００１５】
以上のように構成された日除け装置１は、次のようにして使用する。まず、日除け装置１の装着者の頭部のサイズに合わせた最適な径のＣ型ヘアバンド２０を選択する。ここで、「最適な径のＣ型ヘアバンド２０」とは、Ｃ型ヘアバンド２０が装着者の頭部からずれない程度に、かつＣ型ヘアバンド２０が装着者の頭部に過剰な締め付け感を与えない程度に、自由状態のＣ型ヘアバンド２０の円弧状部２２の径が装着者の頭部の径よりも適度に小さいＣ型ヘアバンド２０を意味する。次いで、選択したＣ型ヘアバンド２０の円弧状部２２を日除けシート１０のガイドループ１２に挿通する。このとき、Ｃ型ヘアバンド２０の円弧状部２２の外側に日除けシート１０のガイドループ１２を位置させる。すると、日除けシート１０の上縁部がＣ型ヘアバンド２０の円弧状部２２の形状に沿って変形するように、日除けシート１０とＣ型ヘアバンド２０が結合した日除け装置１が完成する。
【００１６】
次いで、Ｃ型ヘアバンド２０の円弧状部２２（日除けシート１０の上縁部）を、円弧状端部２１を互いに引き離すように弾性変形させる。この弾性変形状態におけるＣ型ヘアバンド２０の円弧状部２２の径は、自由状態のそれとは異なり、装着者の頭部の径よりも大きくなっている。最後に、この弾性変形状態のＣ型ヘアバンド２０の円弧状部２２を装着者の頭部に嵌めて、Ｃ型ヘアバンド２０の弾性変形状態を解除する。すると、図４に示すように、Ｃ型ヘアバンド２０の弾性復帰力により、ガイドループ１２が装着者の頭部に接して日除けシート１０が装着者の首筋を覆った状態で、Ｃ型ヘアバンド２０の円弧状部２２（日除けシート１０の上縁部）が装着者の頭部に弾性的に支持される。
【００１７】
以上のように、本考案の日除け装置１は、装着者の首筋を覆う遮光性を有する日除けシート１０と、この日除けシート１０の上縁部に形成されたガイドループ（Ｃ型ヘアバンド挿通部）１２と、このガイドループ（Ｃ型ヘアバンド挿通部）１２に挿通され、日除けシート１０が装着者の首筋を覆った状態で日除けシート１０の上縁部を装着者の頭部に支持するＣ型ヘアバンド（例えばカチューシャ）２０とを有している。
この構成によれば、Ｃ型ヘアバンド（例えばカチューシャ）２０の弾性力を利用して、装着者の首筋を覆う日除けシート１０の上縁部を装着者の頭部に支持するので、日除けシート１０を、帽子とは独立してかつ正確に位置決めして着脱容易に装着することができる（例えば帽子を被ることなく確実に日除けシートを装着することができる）。勿論、本考案は、日除け装置１とは独立させて（日除け装置１とは無関係に）帽子を被る使用態様を排除するものではない。
【００１８】
本考案の日除け装置１は、Ｃ型ヘアバンド２０を、日除けシート１０のガイドループ（Ｃ型ヘアバンド挿通部）１２に挿脱自在としている。
この構成によれば、装着者の頭部のサイズに合わせて最適な径のＣ型ヘアバンド２０を選択して使用することができる。また、Ｃ型ヘアバンド２０を取り外して日除けシート１０を洗濯することができる。さらに、Ｃ型ヘアバンド２０が壊れたときにはこれを取り外して、市販されている新たなＣ型ヘアバンド２０を取り付けて使用することができる。
【００１９】
本考案の日除け装置１は、ガイドループ（Ｃ型ヘアバンド挿通部）１２を、日除けシート１０の表裏面のうち、装着者の頭部に接する面に形成している。
この構成によれば、Ｃ型ヘアバンド２０及びガイドループ（Ｃ型ヘアバンド挿通部）１２が日除けシート１０の外部に露出しないので、日除けシート１０の装着時の見栄えを良くすることができる。また、Ｃ型ヘアバンド２０を脱落しにくくすることができる。
勿論、ガイドループ（Ｃ型ヘアバンド挿通部）１２は、日除けシート１０の表裏面のうち、装着者の頭部に接する面とは反対側の面に形成してもよい。
【符号の説明】
【００２０】
１  日除け装置
１０  日除けシート
１１  縁取り部（ほつれ止め部）
１２  ガイドループ（Ｃ型ヘアバンド挿通部）
２０  Ｃ型ヘアバンド（カチューシャ）
２１  円弧状端部
２２  円弧状部
【図１】
0003166243.tif 000003
【図２】
0003166243.tif 000004
【図３】
0003166243.tif 000005
【図４】
0003166243.tif 000006